(57)【要約】【課題】  履歴情報からグループに登録する操作を容易にすること。【解決手段】  携帯電話機は、電話帳を記憶するフラッシュメモリと、過去の通信相手の電話番号を含む履歴情報を記憶する履歴記憶部と、履歴情報を表示する履歴表示部（Ｓ０３）と、表示された履歴情報の１つを処理対象として選択する選択部（ＳＳ０８）と、電話帳が第１の電話番号と第２の電話番号を含む場合、表示切換操作の入力に応じて、第１の電話番号と第２の電話番号とのいずれかに表示を切り換える表示切換部（Ｓ１３）と、を含み、表示切換部は、処理対象が変更される場合、新たに処理対象となる履歴情報に含まれる第１の通信識別情報と第２の通信識別情報のうち前回処理対象として選択されていたときに表示していたものを表示する。【選択図】        図６
2010148076.tif 000002
【特許請求の範囲】
【請求項１】
個人を識別するための個人識別情報と、該個人に対して通信のために割り当てられた少なくとも１つの通信識別情報とを関連付けた個人情報を記憶する個人情報記憶手段と、
過去の通信相手の通信識別情報を含み、通信の履歴を示す履歴情報を記憶する通信履歴記憶手段と、
前記記憶された履歴情報または前記記憶された個人情報に基づいて、少なくとも１つの通信識別情報を１つにまとめたグループを生成するグループ化手段と、を備え、
前記グループ化手段は、前記記憶された履歴情報を表示する履歴表示手段と、
前記表示された履歴情報の１つを処理対象として選択する選択手段と、
前記個人情報が前記選択された履歴情報に含まれる第１の通信識別情報と、前記第１通信識別情報とは別の第２の通信識別情報を含む場合、表示を切り換えるための操作の入力に応じて、前記第１の通信識別情報と前記第２の通信識別情報とのいずれかに表示を切り換える表示切換手段と、を含み、
前記表示切換手段は、前記選択手段により処理対象が変更される場合、新たに処理対象となる履歴情報に含まれる前記第１の通信識別情報と前記第２の通信識別情報のうち前記選択手段により前回処理対象として選択されていたときに表示していたものを表示する、通信装置。
【請求項２】
前記グループ化手段は、グループに登録する操作の入力に応じて、前記選択手段により選択されている履歴情報に含まれる前記第１の通信識別情報または前記第２の通信識別情報のうち表示されているものをグループに登録する登録手段をさらに含む、請求項１に記載の通信装置。
【請求項３】
前記グループの指定を受け付けるグループ受付手段と、
前記受け付けられた指定により特定されるグループに登録されている少なくとも１つの通信識別情報に発信する発信手段と、をさらに備えた請求項１に記載の通信装置。
【請求項４】
前記グループ化手段は、前記第１の通信識別情報または前記第２の通信識別情報のいずれか一方がグループに登録されていることを示す印を表示する印表示手段をさらに含む、請求項１〜３のいずれかに記載の通信装置。
【請求項５】
前記印表示手段は、前記第１の通信情報と第２の通信情報とのうち前記表示切換手段により表示されているものが前記登録手段により登録されている場合に第１の印を表示する第１印表示手段と、
前記第１の通信情報と第２の通信情報とのうち前記表示切換手段により表示されているものが前記登録手段により登録されていない場合に第２の印を表示する第２印表示手段と、を含む請求項４に記載の通信装置。
【請求項６】
個人を識別するための個人識別情報と、該個人に対して通信のために割り当てられた少なくとも１つの通信識別情報とを関連付けた個人情報を記憶するステップと、
過去の通信相手の通信識別情報を含み、通信の履歴を示す履歴情報を記憶するステップと、
前記記憶された履歴情報または前記記憶された個人情報に基づいて、少なくとも１つの通信識別情報を１つにまとめたグループを生成するステップと、を含み、
前記グループを生成するステップは、前記選択された履歴情報を表示するステップと、
前記個人情報が前記表示された履歴情報に含まれる第１の通信識別情報と、前記第１通信識別情報とは別の第２の通信識別情報を含む場合、表示を切り換えるための操作の入力に応じて、前記第１の通信識別情報と前記第２の通信識別情報とのいずれかに表示を切り換えるステップと、を含み、
前記表示を切り換えるステップは、前記選択するステップにおいて処理対象が変更される場合、新たに処理対象となる履歴情報に含まれる前記第１の通信識別情報と前記第２の通信識別情報のうち前記選択するステップにおいて前回処理対象として選択されていたときに表示していたものを表示するステップを含む、通信履歴表示方法。
【請求項７】
個人を識別するための個人識別情報と、該個人に対して通信のために割り当てられた少なくとも１つの通信識別情報とを関連付けた個人情報を記憶するステップと、
過去の通信相手の通信識別情報を含み、通信の履歴を示す履歴情報を記憶するステップと、
前記記憶された履歴情報または前記記憶された個人情報に基づいて、少なくとも１つの通信識別情報を１つにまとめたグループを生成するステップと、をコンピュータに実行させ、
前記グループを生成するステップは、前記選択された履歴情報を表示するステップと、
前記個人情報が前記表示された履歴情報に含まれる第１の通信識別情報と、前記第１通信識別情報とは別の第２の通信識別情報を含む場合、表示を切り換えるための操作の入力に応じて、前記第１の通信識別情報と前記第２の通信識別情報とのいずれかに表示を切り換えるステップと、を含み、
前記表示を切り換えるステップは、前記選択するステップにおいて処理対象が変更される場合、新たに処理対象となる履歴情報に含まれる前記第１の通信識別情報と前記第２の通信識別情報のうち前記選択するステップにおいて前回処理対象として選択されていたときに表示していたものを表示するステップを含む、通信履歴表示プログラム。
【発明の詳細な説明】
【技術分野】
【０００１】
この発明は、通信装置、通信履歴表示方法および通信履歴表示プログラムに関し、特に過去に通信相手と通信した履歴を記憶する通信装置、その通信装置で実行される通信履歴表示方法および通信履歴表示プログラムに関する。
【背景技術】
【０００２】
近年、携帯電話機は、電話番号と氏名とを関連付けた電話帳を記憶する。また、同時に複数の通信相手と通話することが可能なＰＴＴ（Ｐｕｓｈ  Ｔｏ  Ｔａｌｋ）サービスが提供されている。特表２００７−５１３５９２号公報には、電話帳に登録された複数の電話番号をグループ化しておき、グループを選択すれば、そのグループに登録された電話番号に発信する技術が記載されている。
【０００３】
一方、携帯電話機は、過去に通話した相手の電話番号を通話履歴として記憶する機能を有する。電話帳に登録された電話番号から選ばれた電話番号をグループに登録するのと同様に、通信履歴として記憶された電話番号から選ばれた電話番号をグループに登録することができると便利である。しかしながら、履歴情報は、過去に通信した通信相手の電話番号のみを含むため、その電話番号が割り当てられたユーザに対して電話帳により複数の電話番号が割り当てられている場合に、履歴情報に含まれる電話番号とは別の電話番号をグループに登録することができないといった問題がある。
【特許文献１】特開２００７−５１３５９２号公報
【発明の開示】
【発明が解決しようとする課題】
【０００４】
この発明は上述した問題点を解決するためになされたもので、この発明の目的の一つは、履歴情報からグループに登録する操作を容易にした通信装置を提供することである。
【０００５】
この発明の他の目的の一つは、履歴情報からグループに登録する操作を容易にした通信履歴表示方法を提供することである。
【０００６】
この発明のさらに他の目的の一つは、履歴情報からグループに登録する操作を容易にした通信履歴表示プログラムを提供することである。
【課題を解決するための手段】
【０００７】
上述した目的を達成するためにこの発明のある局面によれば、通信装置は、個人を識別するための個人識別情報と、該個人に対して通信のために割り当てられた少なくとも１つの通信識別情報とを関連付けた個人情報を記憶する個人情報記憶手段と、過去の通信相手の通信識別情報を含み、通信の履歴を示す履歴情報を記憶する通信履歴記憶手段と、記憶された履歴情報または記憶された個人情報に基づいて、少なくとも１つの通信識別情報を１つにまとめたグループを生成するグループ化手段と、を備え、グループ化手段は、記憶された履歴情報を表示する履歴表示手段と、表示された履歴情報の１つを処理対象として選択する選択手段と、個人情報が選択された履歴情報に含まれる第１の通信識別情報と、第１通信識別情報とは別の第２の通信識別情報を含む場合、表示を切り換えるための操作の入力に応じて、第１の通信識別情報と第２の通信識別情報とのいずれかに表示を切り換える表示切換手段と、を含み、表示切換手段は、選択手段により処理対象が変更される場合、新たに処理対象となる履歴情報に含まれる第１の通信識別情報と第２の通信識別情報のうち選択手段により前回処理対象として選択されていたときに表示していたものを表示する。
【０００８】
この局面に従えば、履歴情報または記憶された個人情報に基づいて、少なくとも１つの通信識別情報を１つにまとめたグループが生成されるので、通信履歴として記憶された通信識別情報とは異なる通信識別情報をグループに登録することができる。また、通信識別情報を含む履歴情報が表示され、処理対象として選択された履歴情報に含まれる第１の通信識別情報を含む個人情報が第２の通信識別情報を含む場合、表示を切り換えるための操作の入力に応じて、第１の通信識別情報と第２の通信識別情報とのいずれかに表示が切り換えられる一方、処理対象が変更される場合は、新たに処理対象となる履歴情報に含まれる第１の通信識別情報と第２の通信識別情報のうち前回処理対象として選択されていたときに表示されてものが表示される。このため、第１の通信識別情報と第２の通信識別情報のうち前回表示されていたものが表示されるので、先にした操作を繰返す必要がない。その結果、履歴情報からグループに登録する操作を容易にした通信装置を提供することができる。
【０００９】
好ましくは、グループ化手段は、グループに登録する操作の入力に応じて、選択手段により選択されている履歴情報に含まれる第１の通信識別情報または第２の通信識別情報のうち表示されているものをグループに登録する登録手段をさらに含む。
【００１０】
この局面に従えば、グループに登録する通信識別情報を確認することができる。
【００１１】
好ましくは、グループの指定を受け付けるグループ受付手段と、受け付けられた指定により特定されるグループに登録されている少なくとも１つの通信識別情報に発信する発信手段と、をさらに備える。
【００１２】
好ましくは、グループ化手段は、第１の通信識別情報または第２の通信識別情報のいずれか一方がグループに登録されていることを示す印を表示する印表示手段をさらに含む。
【００１３】
この局面に従えば、第１の通信識別情報または第２の通信識別情報のいずれか一方がグループに登録されていることを通知することができる。
【００１４】
好ましくは、印表示手段は、第１の通信情報と第２の通信情報とのうち表示切換手段により表示されているものが登録手段により登録されている場合に第１の印を表示する第１印表示手段と、第１の通信情報と第２の通信情報とのうち表示切換手段により表示されているものが登録手段により登録されていない場合に第２の印を表示する第２印表示手段と、を含む。
【００１５】
この局面に従えば、第１の通信情報と第２の通信情報とのうちいずれがグループに登録されているか、または、いずれもグループに登録されていないかをユーザに通知することができる。
【００１６】
この発明の他の局面によれば、通信履歴表示方法は、個人を識別するための個人識別情報と、該個人に対して通信のために割り当てられた少なくとも１つの通信識別情報とを関連付けた個人情報を記憶するステップと、過去の通信相手の通信識別情報を含み、通信の履歴を示す履歴情報を記憶するステップと、記憶された履歴情報または記憶された個人情報に基づいて、少なくとも１つの通信識別情報を１つにまとめたグループを生成するステップと、を含み、グループを生成するステップは、選択された履歴情報を表示するステップと、個人情報が表示された履歴情報に含まれる第１の通信識別情報と、第１通信識別情報とは別の第２の通信識別情報を含む場合、表示を切り換えるための操作の入力に応じて、第１の通信識別情報と第２の通信識別情報とのいずれかに表示を切り換えるステップと、を含み、表示を切り換えるステップは、選択するステップにおいて処理対象が変更される場合、新たに処理対象となる履歴情報に含まれる第１の通信識別情報と第２の通信識別情報のうち選択するステップにおいて前回処理対象として選択されていたときに表示していたものを表示するステップを含む。
【００１７】
この局面に従えば、履歴情報からグループに登録する操作を容易にした通信履歴表示方法を提供することができる。
【００１８】
この発明のさらに他の局面によれば、通信履歴表示プログラムは、個人を識別するための個人識別情報と、該個人に対して通信のために割り当てられた少なくとも１つの通信識別情報とを関連付けた個人情報を記憶するステップと、過去の通信相手の通信識別情報を含み、通信の履歴を示す履歴情報を記憶するステップと、記憶された履歴情報または記憶された個人情報に基づいて、少なくとも１つの通信識別情報を１つにまとめたグループを生成するステップと、をコンピュータに実行させ、グループを生成するステップは、選択された履歴情報を表示するステップと、個人情報が表示された履歴情報に含まれる第１の通信識別情報と、第１通信識別情報とは別の第２の通信識別情報を含む場合、表示を切り換えるための操作の入力に応じて、第１の通信識別情報と第２の通信識別情報とのいずれかに表示を切り換えるステップと、を含み、表示を切り換えるステップは、選択するステップにおいて処理対象が変更される場合、新たに処理対象となる履歴情報に含まれる第１の通信識別情報と第２の通信識別情報のうち選択するステップにおいて前回処理対象として選択されていたときに表示していたものを表示するステップを含む、通信履歴表示プログラム。
【００１９】
この局面に従えば、履歴情報からグループに登録する操作を容易にした通信履歴表示プログラムを提供することができる。
【発明を実施するための最良の形態】
【００２０】
以下、本発明の実施の形態について図面を参照して説明する。以下の説明では同一の部品には同一の符号を付してある。それらの名称および機能も同じである。したがってそれらについての詳細な説明は繰返さない。
【００２１】
図１は、本発明の実施の形態の１つにおける携帯電話機の外観を示す斜視図である。図１は、オープンスタイルの状態にある携帯電話機の外観を示す図である。図１を参照して、通信装置としての携帯電話機１は、操作側部３と、表示側部２とを含む。操作側部３は、テンキーおよび通話キー等を含む操作キー１４と、マイクロフォン１３とが内側面に配置される。表示側部２は、液晶表示装置（ＬＣＤ）１５と、レシーバを構成するスピーカ１１と、カメラ２４とが内側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２２】
図２は、本実施の形態における携帯電話機のハードウェア構成の一例を示すブロック図である。図２を参照して、携帯電話機１は、携帯電話機１の全体を制御するためのＣＰＵ２１と、アンテナ２２Ａと接続された無線回路２２と、音声データを符号化または復号するためのコーデック部２３と、音声データを処理するための音声制御部２８と、カメラ２４と、ユーザの操作の入力を受け付ける操作部２５と、着信を報知するための振動部２６と、ＣＰＵ２１で実行するプログラム等を記憶するためのフラッシュメモリ３１と、ＣＰＵ２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００２３】
無線回路２２は、ＣＰＵ２１により制御され、無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００２４】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、ＣＰＵ２１に出力する。また、無線回路２２は、ＣＰＵ２１から入力される電子メールを電子メールサーバに送信する。ＣＰＵ２１は、電子メールサーバとの間で送受信した電子メールをフラッシュメモリ３１に記憶する。
【００２５】
操作部２５は、操作キー１４を含む。操作キー１４は、複数のキーを含み、ユーザによる操作の入力を受け付け、受け付けた操作をＣＰＵ２１に出力する。
【００２６】
音声制御部２８は、マイクロフォン１３と接続され、マイクロフォン１３が集音して出力するアナログの音声信号が入力される。音声制御部２８は、マイクロフォン１３から入力される音声信号をコーデック部２３に出力する。また、音声制御部２８は、コーデック部２３から音声信号が入力され、コーデック部２３から入力された音声信号をスピーカ１１に出力する。
【００２７】
カードＩ／Ｆ２７には、着脱可能なメモリカード２７Ａが装着される。メモリカード２７Ａは、フラッシュメモリ等の不揮発性メモリを有し、プログラムを記憶可能である。ＣＰＵ２１は、カードＩ／Ｆ２７を介して、メモリカード２７Ａにアクセスが可能である。なお、ここではＣＰＵ２１で実行するためのプログラムをフラッシュメモリ３１に記憶しておく例を説明するが、プログラムをメモリカード２７Ａに記憶しておき、メモリカード２７Ａからプログラムを読み出して、ＣＰＵ２１で実行するようにしてもよい。プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ、ＥＥＰＲＯＭなどの半導体メモリ等でもよい。また、ＣＰＵ２１が、無線回路２２を介してインターネットに接続されたコンピュータからプログラムをダウンロードし、そのプログラムを実行するようにしてもよい。ここでいうプログラムは、ＣＰＵ２１により直接実行可能なプログラムだけでなく、ソースプログラム、圧縮処理されたプログラム、暗号化されたプログラム等を含む。
【００２８】
カメラ２４は、レンズおよびＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データをＣＰＵ２１に出力する。カメラ２４は、ＣＰＵ２１により制御され、ＣＰＵ２１からの指示により撮像を開始して、得られる静止画データまたは動画データをＣＰＵ２１に出力する。ＣＰＵ２１は、カメラ２４が出力する静止画データまたは動画データをＬＣＤ１５に表示する、または、所定の圧縮符号化方式で静止画データまたは動画データを符号化して、フラッシュメモリ３１またはカードＩ／Ｆ２７に装着されたメモリカード２７Ａに記憶する。
【００２９】
図３は、本発明の実施の形態の１つにおける携帯電話機のＣＰＵの機能の概要をフラッシュメモリに記憶する情報とともに示す機能ブロック図である。図３を参照して、ＣＰＵ２１は、発着信を制御する通信制御部５１と、過去に発着信した通信相手の通信識別情報を含み、発着信の履歴を示す履歴情報を記憶する履歴記憶部５３と、複数の電話番号を同じグループにまとめるグループ化部５５と、グループに含まれる複数の電話番号に発信するＰＴＴ発信部５７と、を含む。
【００３０】
通信制御部５１は、電話の発着信および電子メールの発着信を制御する。電話の発着信において、通信相手の通信識別情報は通信相手の携帯電話機に割り当てられた電話番号であり、電子メールの発着信において、通信相手の通信識別情報は、通信相手の電話機または通信相手に割り当てられた電子メールアドレスである。なお、電話機は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）に接続される固定電話機と、無線ネットワークに接続される携帯電話機とを含む。
【００３１】
通信制御部５１は、無線回路２２が基地局から着呼信号を受信すると、着呼信号に含まれる電話番号を着信相手の電話番号として履歴記憶部５３に出力する。通信制御部５１は、着呼信号が受信された後、ユーザにより操作キー１４のオフフックキーが押下されたことを検出すれば、基地局を通じて着信相手の電話機との間の回線を接続し、通話可能な状態となる。
【００３２】
また、通信制御部５１は、無線回路２２が基地局から電子メールを受信すると、電子メールをフラッシュメモリ３１に記憶するとともに、電子メールに含まれる着信相手の電子メールアドレスを着信相手の電子メールアドレスとして履歴記憶部５３に出力する。通信制御部５１は、電子メールが受信された後、ユーザにより操作キー１４のうち電子メールを閲覧するための操作が割り当てられたキーが押下されたことを検出すれば、フラッシュメモリ３１に記憶された電子メールをＬＣＤ１５に表示する。
【００３３】
また、通信制御部５１は、携帯電話機１のユーザが操作キー１４に電話番号を直接入力すると、入力された電話番号を発信相手の電話番号として履歴記憶部５３に出力する。さらに、後述する履歴表示部６３から電話番号が入力されると、入力された電話番号を発信相手の電話番号として履歴記憶部５３に出力する。通信制御部５１は、発信相手の電話番号が入力された後、ユーザにより操作キー１４のオフフックキーが押下されたことを検出すれば、基地局を通じて発信相手の電話機に発呼し、発信相手の電話機が応呼すれば、発信相手の電話機との間の回線を接続し、通話可能な状態となる。
【００３４】
また、通信制御部５１は、携帯電話機１のユーザが操作キー１４に電子メールアドレスを直接入力すると、入力された電子メールアドレスを発信相手の電子メールアドレスとして履歴記憶部５３に出力する。さらに、後述する履歴表示部６３から電子メールアドレスが入力されると、入力された電子メールアドレスを発信相手の電子メールアドレスとして履歴記憶部５３に出力する。通信制御部５１は、発信相手の電子メールアドレスが入力された後、ユーザにより操作キー１４のうち電子メールの発信する操作が割り当てられたキーが押下されたことを検出すれば、基地局を通じて電子メールサーバに電子メールを送信する。
【００３５】
通信履歴を管理する場合に、通信相手に割り当てられた通信識別情報として電話番号または電子メールアドレスのいずれを用いるかは、通信方式が異なるのみなので、以下の説明では、特に言及しない限り通信相手の通信識別情報として電話番号を用いる場合を例に説明する。
【００３６】
フラッシュメモリ３１は、履歴情報８１と、電話帳８５と、グループ情報８７と、を記憶する。履歴情報８１は、発信相手の通信識別情報として電話番号を含み、発信の履歴を示す発信履歴情報８２と、着信相手の電話番号を含み、着信の履歴を示す着信履歴情報８３と、を含む。発信履歴情報８２は、発信相手の電話番号と、発信時刻と、発信回数と、を含む。発信時刻は最後に発信した時刻が設定され、発信回数は、そのときまでに発信した回数が設定される。着信履歴情報８３は、着信相手の通信識別情報として電話番号と、着信時刻と、着信回数とを含む。着信時刻は、最後に着信した時刻が設定され、着信回数は、そのときまでに着信した回数が設定される。したがって、発信履歴情報８２および着信履歴情報８３それぞれは、１つの電話番号に対して１つが記憶される。なお、ここでは発信履歴情報８２が発信回数を含み、着信履歴情報８３が着信回数を含む例を説明するが、発信毎に電話番号と発信時刻とを含む発信履歴情報８２を記憶してもよいし、着信毎に電話番号と着信時刻とを含む着信履歴情報８３を記憶するようにしてもよい。この場合、同じ電話番号を含む発信履歴情報の数で発信回数を算出でき、同じ電話番号を含む着信履歴情報の数で着信回数を算出できる。
【００３７】
ここでは、発信履歴情報８２または着信履歴情報８３に含まれる通信相手の電話番号を第１電話番号という。
【００３８】
電話帳８５は、個人毎に１つの電話帳レコードを含む。図４は、電話帳レコードのフォーマットの一例を示す図である。図４を参照して、電話帳レコードは、氏名の項目と、通信先１の項目と、通信先２の項目と、…、通信先Ｎの項目とを含む。ただしＮは正の整数である。氏名の項目は、通信相手である個人を識別するためのユーザ識別情報が設定される。通信先１〜Ｎそれぞれの項目は、氏名の項目に設定されたユーザ識別情報で特定される個人に割り当てられた通信識別情報が設定される。通信識別情報は、例えば、携帯電話機に割り当てられたが電話番号、固定電話機に割り当てられた電話番号、ファクシミリ装置に割り当てられた電話番号、個人に割り当てられた電子メールアドレスなどを含む。すなわち、電話帳レコードは、個人１人に対して１以上の通信識別情報を関連付ける。
【００３９】
図３に戻って、履歴記憶部５３は、通信制御部５１から着信相手の電話番号が入力されると、入力される電話番号を含む着信履歴情報を生成し、フラッシュメモリ３１に記憶する。これにより、フラッシュメモリ３１に着信履歴情報８３が記憶される。履歴記憶部５３は、通信制御部５１から発信相手の電話番号が入力されると、入力される電話番号を含む発信履歴情報を生成し、フラッシュメモリ３１に記憶する。これにより、フラッシュメモリ３１に発信履歴情報８２が記憶される。
【００４０】
履歴記憶部５３は、生成された着信履歴情報をフラッシュメモリ３１に記憶する際に、生成された着信履歴情報に含まれる電話番号と同じ電話番号を含む着信履歴情報８３が記憶されている場合、生成された着信履歴情報をフラッシュメモリ３１に記憶することなく、フラッシュメモリ３１に既に記憶されており、生成された着信履歴情報に含まれる電話番号と同じ電話番号を含む着信履歴情報８３の着信回数を、それに１を加算した値に変更し、着信時刻をそのときの時刻に変更する。同様に、履歴記憶部５３は、生成された発信履歴情報をフラッシュメモリ３１に記憶する際に、生成された発信履歴情報に含まれる電話番号と同じ電話番号を含む発信履歴情報８２が記憶されている場合、生成された発信履歴情報をフラッシュメモリ３１に記憶することなく、フラッシュメモリ３１に既に記憶されており、生成された発信履歴情報に含まれる電話番号と同じ電話番号を含む発信履歴情報８２の発信回数を、それに１を加算した値に変更し、発信時刻をそのときの時刻に変更する。
【００４１】
グループ化部５５は、履歴情報を表示する履歴表示部６１と、履歴情報のうちから１つを選択する選択部６３と、表示切換部６５と、電話番号をグループに登録する登録部６７と、グループに登録されていることを示す印を表示する登録表示部６９と、を含む。
【００４２】
履歴表示部６３は、ユーザが操作キー１４に履歴表示指示を入力すると、履歴情報８１を読み出して、読み出した履歴情報８１をＬＣＤ１５に一覧表示する。具体的には、ユーザが発信履歴の履歴表示指示を操作キー１４に入力すると、発信履歴情報８２を読み出して、発信時刻順に並び替えて一覧表示する。また、履歴表示部６３は、ユーザが着信履歴の履歴表示指示を操作キー１４に入力すると、着信履歴情報８３を読み出して、着信時刻順に並び替えて一覧表示する。
【００４３】
履歴表示部６３は、フラッシュメモリ３１から着信履歴情報８３が読み出される場合、フラッシュメモリ３１に記憶されている電話帳８５を参照し、フラッシュメモリ３１から読み出された着信履歴情報８３に含まれる第１電話番号を含む電話帳レコードが電話帳８５に含まれていれば、その電話帳レコードの氏名の項目に設定されているユーザ識別情報を取得する。そして、電話帳８５から取得されたユーザ識別情報と、着信履歴情報８３に含まれる第１電話番号と、をＬＣＤ１５に表示する。同様に、履歴表示部６３は、フラッシュメモリ３１から発信履歴情報８２が読み出される場合、フラッシュメモリ３１に記憶されている電話帳８５を参照し、フラッシュメモリ３１から読み出された発信履歴情報８２に含まれる第１電話番号を含む電話帳レコードが電話帳８５に含まれていれば、その電話帳レコードの氏名の項目に設定されているユーザ識別情報を取得する。そして、電話帳８５から取得されたユーザ識別情報と、発信履歴情報８２に含まれる第１電話番号と、をＬＣＤ１５に表示する。履歴情報表示部６３は、ＬＣＤ１５に表示された着信履歴情報８３または発信履歴情報８２を識別するための履歴識別情報を選択部６３に出力する。
【００４４】
選択部６３は、履歴表示部６１によりＬＣＤ１５に一覧表示された発信履歴情報８２または着信履歴情報８３のいずれか１つの選択を受け付ける。具体的には、ユーザが操作キー１４に備えられた選択キーを操作すると、ＬＣＤ１５に一覧表示された発信履歴情報８２または着信履歴情報８３のうち、選択キーにより移動するカーソルの位置にある発信履歴情報または着信履歴情報を選択する。選択部６３は、選択された発信履歴情報８２または着信履歴情報８３を識別するための履歴識別情報を、表示切換部６５に出力する。
【００４５】
表示切換部６５は、選択部６３から履歴識別情報が入力されると、入力される履歴識別情報で特定される発信履歴情報または着信履歴情報を処理対象に設定する。そして、表示切換部６５は、切換指示が入力されると、処理対象に設定されている発信履歴情報または着信履歴情報に含まれる第１電話番号をキーにして、電話帳８５を検索し、第１電話番号を含む電話帳レコードを抽出する。ユーザが操作キー１４に備えられた切換キーを操作すると、切換指示を受け付ける。表示切換部６５は、選択部６３第１電話番号を含む電話帳レコードが抽出される場合、抽出された電話帳レコードが第１電話番号とは別の第２電話番号を含むか否かを判断する。上述したように、電話帳レコードは、個人１人に対して１以上の電話番号を関連付けることが可能なため、複数の電話番号を含む場合がある。表示切換部６５は、抽出された電話帳レコードが複数の電話番号を含む場合、ＬＣＤ１５に一覧表示された発信履歴情報８２または着信履歴情報８３のうち選択部６３により選択された発信履歴情報８２または着信履歴情報８３として表示されている第１電話番号に代えて、抽出された電話帳レコードに含まれる別の第２電話番号を表示する。電話帳レコードが３以上の電話番号を含む場合、第２電話番号が複数存在するが、操作キー１４の切換キーが押下される毎に、順に複数の第２電話番号を表示する。
【００４６】
また、表示切換部６５は、第１の電話番号に代えて第２の電話番号を表示した後に、操作キー１４のうち切換キーが押下されると、選択された発信履歴情報８２または着信履歴情報８３に含まれる第１電話番号に代えて表示されている第２電話番号に代えて第１電話番号を表示する。
【００４７】
表示切換部６５は、表示を切り換える毎に、履歴識別情報と、第１電話番号または第２電話番号のうちＬＣＤ１５に表示されているものとの組を、一時記憶するとともに、登録部６７および登録表示部６９に出力する。
【００４８】
履歴表示部６１は、ＬＣＤ１５に発信履歴情報８２または着信履歴情報８３を一覧表示するが、ＬＣＤ１５に一度に表示できる発信履歴情報８２または着信履歴情報８３の数には制限がある。ここでは、ＬＣＤ１５に一度に表示できる発信履歴情報８２または着信履歴情報８３の数が２つに制限される場合を例に説明する。このため、ユーザは、発信履歴情報８２または着信履歴情報８３が３以上の場合、表示されないものを表示させるために画面を切り換える必要がある。履歴表示部６１は、一度表示された発信履歴情報８２または着信履歴情報８３がＬＣＤ１５に表示されなくなった後に、再度表示する指示が受け付けられた場合に、それを表示する。ＬＣＤ１５に表示されなくなった発信履歴情報８２または着信履歴情報８３がＬＣＤ１５に表示されている間に、表示切換部６５によって第２電話番号に表示が切り換えられる場合がある。表示切換部６５により第２電話番号に表示が切り換えられた第１電話番号を含む発信履歴情報８２または着信履歴情報８３をそのまま再度表示すると、表示切換部６５により表示が切り換えられる前の第１電話番号が表示されてしまう。
【００４９】
このため、表示切換部６５は、履歴表示部６１により再表示の対象となる発信履歴情報８２または着信履歴情報８３の履歴識別情報が入力されると、第１電話番号と第２電話番号のうち一時記憶されている履歴識別情報と組になるものを表示する。
【００５０】
次に、登録部６７は、操作キー１４のうちグループ登録を指示するための操作が割り当てられたキーが押下されることに応じて、表示切換部６５から入力される第１電話番号または第２電話番号をグループに登録する。グループへの登録は、グループ情報を生成し、フラッシュメモリ３１に記憶する。登録部６７は、第１電話番号または第２電話番号のうちグループに登録されたものを登録表示部６９に出力する。
【００５１】
図５は、グループ情報のフォーマットの一例を示す図である。図５を参照して、グループ情報は、グループ番号の項目と、通信先１の項目と、通信先２の項目と,…、通信先Ｍの項目とを含む。ただしＭは正の整数である。グループ番号の項目は、グループを識別するためのグループ識別情報が設定されている。通信先１〜Ｍそれぞれの項目は、グループ番号の項目に設定されたグループ識別情報で特定されるグループに含まれる通信識別情報が設定される。通信識別情報は、例えば、携帯電話機に割り当てられたが電話番号、固定電話キーに割り当てられた電話番号、ファクシミリ装置に割り当てられた電話番号、ユーザに割り当てられた電子メールアドレスなどを含む。すなわち、グループ情報は、１つのグループに対して１以上の通信識別情報を関連付ける。
【００５２】
図３に戻って、登録部６７は、グループ情報が生成されていない場合には、新たなグループ識別情報をグループ番号の項目に設定した新たなグループ情報を生成し、選択された第１電話番号または第２電話番号を通信先１の項目に設定し、フラッシュメモリ３１に記憶する。これにより、フラッシュメモリ３１にグループ情報８７が記憶される。また、グループ情報８７が生成されており、フラッシュメモリ３１に記憶されているならば、記憶されたグループ情報８７の通信先２〜通信先Ｍの項目のうち未設定の項目に選択された第１電話番号または第２電話番号を設定し、フラッシュメモリ３１に記憶する。
【００５３】
第１電話番号または第２電話番号のうちいずれかが登録部６７によりグループに登録された後に、表示切換部６５によって、表示が切り換えられる場合がある。例えば、第１電話番号が登録された後に、表示切換部６５によって第２電話番号に表示が切り換えられる場合がある。逆に、第２電話番号が登録された後に、表示切換部６５によって第１電話番号に表示が切り換えられる場合がある。
【００５４】
登録表示部６９は、表示切換部６５から第１電話番号および第２電話番号のうちＬＣＤ１５に表示されているものが入力され、登録部６７から第１電話番号および第２電話番号のうちグループに登録されているものが入力される。登録表示部６９は、第１印表示部７１と、第２印表示部７３とを含む。
【００５５】
第１印表示部７１は、第１電話番号と第２電話番号のうちＬＣＤ１５に表示されているものがグループに登録されている場合に、第１電話番号と第２電話番号のうちＬＣＤ１５に表示されているもの近傍に第１印を表示する。ここでは、第１印をレ点としている。
【００５６】
第２印表示部７３は、第１電話番号と第２電話番号のうちＬＣＤ１５に表示されているものがグループに登録されていない場合であって、表示されていないものがグループに登録されている場合に、第１電話番号と第２電話番号のうちＬＣＤ１５に表示されているもの近傍に第２印を表示する。ここでは、第２印をハッチングとしている。
【００５７】
第１表示部７１および第２表示部７３は、第１電話番号および第２電話番号のいずれもがグループに登録されていいない場合、第１電話番号と第２電話番号のうちＬＣＤ１５に表示されているものの近傍に何も表示しない。
【００５８】
ＰＴＴ発信部５７は、グループ化部６１により生成されたグループ情報の１つを指定する操作を受け付けると、指定されたグループ情報を読出し、そのグループ情報に含まれるすべての電話番号に発信する。これにより、ＰＴＴサービスの利用を可能とする。なお、通信識別情報が電子メールアドレスの場合、同じ内容の電子メールを、グループ情報に含まれるすべての電子メールアドレス宛に送信する。
【００５９】
図６は、履歴グループ化処理の流れの一例を示すフローチャートである。履歴グループ化処理は、ＣＰＵ２１が通信履歴表示プログラムを実行することにより、ＣＰＵ２１により実行される処理である。履歴グループ化処理は、着信履歴情報８３と発信履歴情報８２とのいずれかを表示し、グループ登録する処理である。着信履歴情報８３と発信履歴情報８２とのいずれを表示するかが異なるのみなので、ここでは、発信履歴情報８２および着信履歴情報８３を総称して履歴情報といい、履歴情報を表示させる場合を例に説明する。
【００６０】
図６を参照して、ＣＰＵ２１は、履歴情報を表示する指示を受け付けたか否かを判断する（ステップＳ０１）。操作キー１４のうち履歴情報を表示する操作が割り当てられたキーが押下されたことを検出すると、履歴情報を表示する指示を受け付ける。履歴情報を表示する指示を受け付けるまで待機状態となり（ステップＳ０１でＮＯ）、履歴情報を表示する指示を受け付けると（ステップＳ０１でＹＥＳ）、処理をステップＳ０２に進める。なお、履歴情報を表示する指示は、着信履歴情報８３を表示させるための指示と、発信履歴情報８２を表示させるための指示と、を含む。
【００６１】
ステップＳ０２においては、フラッシュメモリ３１に記憶された発信履歴情報８２または着信履歴情報８３のうちから、表示対象となる履歴情報を１つ選択する。そして、選択された履歴情報に対して履歴表示処理を実行する（ステップＳ０３）。履歴表示処理の詳細については後述する。履歴表示処理が終了すると、次に表示対象とする履歴情報が存在するか否かを判断する（ステップＳ０４）。表示対象とする履歴情報が存在すれば処理をステップＳ０２に戻すが、そうでなければ処理をステップＳ０５に進める。ここでは、ＬＣＤ１５に表示可能な履歴情報を２つとしているので、２つの履歴情報に対して履歴表示処理がステップＳ０３において実行されたならば、次の履歴情報が存在しないと判断する。したがって、処理がステップＳ０５に進む場合は、２つの履歴情報がＬＣＤ１５に表示される。
【００６２】
ステップＳ０５においては、第１番目に表示された履歴情報を処理対象に設定する。ＬＣＤ１５に表示された２つの履歴情報のうち、処理対象に設定された履歴情報を、他の履歴情報と異なる表示態様で表示することにより、処理対象に設定されている履歴情報をユーザに知らせることができる。
【００６３】
ステップＳ０６においては、処理対象に設定されている履歴情報を変更する指示を受け付けたか否かを判断する。ユーザが操作キー１４に備えられた選択キーを操作すると、ＬＣＤ１５に一覧表示された発信履歴情報８２または着信履歴情報８３のうち、選択キーにより移動するカーソルの位置に表示されている履歴情報を選択する。ここでは、選択キーを、携帯電話機１の操作キー１４に含まれる上下矢印キーとしている。履歴情報を変更する指示を受け付けたならば処理をステップＳ０７に進めるが、そうでなければ処理をステップＳ１２に進める。
【００６４】
ステップＳ０７においては、処理対象に設定しようとする履歴情報が、ＬＣＤ１５に表示されているか否かを判断する。ＬＣＤに表示されていなければ処理をステップＳ０８に進めるが、そうでなければ処理をステップＳ１１に進める。例えば、表示されている２つの履歴情報のうち、上段に表示された履歴情報が処理対象に設定されている状態で、上矢印キーが押下された場合、下段に表示された履歴情報が処理対象に設定されている状態で、下矢印キーが押下された場合は、処理対象に設定しようとする履歴情報が表示されていないと判断する。
【００６５】
ステップＳ０８においては、次に処理対象に設定しようとする履歴情報項選択する。上段に表示された履歴情報が処理対象に設定されている状態で、上矢印キーが押下された場合、一つ前の履歴情報を選択し、下段に表示された履歴情報が処理対象に設定されている状態で、下矢印キーが押下された場合は、一つ後の履歴情報を選択する。ステップＳ０９においては、履歴表示処理を実行し、処理をステップＳ１２進める。ステップＳ１０においては、ステップＳ０８において選択された履歴情報を、処理対象に設定し、処理をステップＳ１２に進める。
【００６６】
一方、ステップＳ１１においては、既にＬＣＤ１５に表示されている履歴情報のうち、指定された履歴情報を処理対象に設定し、処理をステップＳ１２に進める。上段に表示された履歴情報が処理対象に設定されている状態で、下矢印キーが押下された場合、下段に表示された履歴情報を処理対象に設定し、下段に表示された履歴情報が処理対象に設定されている状態で、上矢印キーが押下された場合は、上段に表示された履歴情報を処理対象に設定する。
【００６７】
ステップＳ１２においては、切換指示を受け付けたか否かを判断する。ユーザが操作キー１４に備えられた切換キーを操作すると、切換指示を受け付ける。切換指示を受け付けたならば処理をステップＳ１３に進めるが、そうでなければステップＳ１３をスキップして処理をステップＳ１４に進める。ステップＳ１３においては、電話番号変更処理を実行し、処理をステップＳ１４に進める。電話番号変更処理については後述する。
【００６８】
ステップＳ１４においては、グループ化指示を受け付けたか否かを判断する。操作キー１４のうちグループ登録を指示するための操作が割り当てられたキーが押下されると、グループ化指示を受け付ける。グループ化指示を受け付けたならば処理をステップＳ１５に進めるが、そうでなければステップＳ１５をスキップして処理をステップＳ１６に進める。ステップＳ１５においては、グループ化処理を実行し、処理をステップＳ１６に進める。グループ化処理の詳細については後述する。
【００６９】
ステップＳ１６においては、終了指示を受け付けたか否かを判断する。操作キー１４のうち履歴情報の表示を終了させるための操作が割り当てられたキーが押下されると、終了指示を受け付ける。終了指示を受け付けたならば処理を終了するが、そうでなければ処理をステップＳ０６に戻す。
【００７０】
図７は、履歴表示処理の流れの一例を示すフローチャートである。履歴表示処理は、図６のステップＳ０３またはステップＳ０９において実行される処理である。履歴表示処理が実行される場合、１つの履歴情報が処理対象に設定されている。履歴表示処理は、処理対象に設定されている履歴情報をＬＣＤ１５に表示する処理である。
【００７１】
履歴表示処理においては、第１表示フラグ、第２表示フラグ、第１グループフラグおよび第２グループフラグの４つのフラグを用いる。第１表示フラグは、履歴情報毎に第１電話番号が表示対象に設定されているか否かを示すフラグであり、第１電話番号が表示対象に設定されている場合にＯＮとなり、それ以外の場合にＯＦＦに設定される。第１表示フラグは、初期状態においてＯＮに設定されており、後述する電話番号変更処理においてＯＦＦに設定される。第２表示フラグは、履歴情報毎に第２電話番号が表示対象に設定されているか否かを示すフラグであり、第２電話番号が表示対象に設定されている場合にＯＮとなり、それ以外の場合にＯＦＦに設定される。第２表示フラグは、初期状態においてＯＦＦに設定されており、後述する電話番号変更処理においてＯＮに設定される。第１表示フラグと第２表示フラグとは、排他的にＯＮに設定され、第１表示フラグがＯＮのときに第２表示フラグはＯＦＦに設定され、第２表示フラグがＯＮのときに第１表示フラグはＯＦＦに設定される。
【００７２】
第１グループフラグは、履歴情報毎に第１電話番号がグループに登録されているか否かを示すフラグであり、第１電話番号がグループに登録されている場合にＯＮとなり、それ以外の場合にＯＦＦに設定される。第１グループフラグは、初期状態においてＯＦＦに設定されており、後述するグループ化処理においてＯＮに設定される。第２グループフラグは、履歴情報毎に第２電話番号がグループに登録されているか否かを示すフラグであり、第２電話番号がグループに登録されている場合にＯＮとなり、それ以外の場合にＯＦＦに設定される。第２グループフラグは、初期状態においてＯＦＦに設定されており、後述するグループ化処理においてＯＮに設定される。
【００７３】
図７を参照して、ステップＳ２１において、処理対象に設定されている履歴情報に含まれる第１電話番号が割り当てられた通信相手の氏名を取得する。具体的には、フラッシュメモリ３１に記憶されている電話帳８５を検索し、処理対象に設定されている履歴情報に含まれる第１電話番号を含む電話帳レコードを抽出する。そして、抽出された電話帳レコードの氏名の項目に設定されているユーザ識別情報、ここでは氏名を取得する。そして、取得された氏名をＬＣＤ１５に表示し、処理をステップＳ２３に進める。
【００７４】
ステップＳ２３においては、処理対象に設定されている履歴情報に対応する第１表示フラグがＯＮに設定されているか否かを判断する。第１表示フラグがＯＮに設定されているならば処理をステップＳ２４に進めるが、そうでなければ処理をステップＳ２９に進める。処理がステップＳ２４に進む場合、処理対象に設定されている履歴情報に含まれる第１電話番号をＬＣＤ１５に表示し、処理をステップＳ２５に進める。
【００７５】
ステップＳ２５においては、処理対象に設定された履歴情報に対応する第１グループフラグがＯＮに設定されているか否かを判断する。第１グループフラグがＯＮに設定されていれば処理をステップＳ２６に進めるが、そうでなければ処理をステップＳ２７に進める。ステップＳ２６においては、第１印をＬＣＤ１５に表示されている第１電話番号の近傍に表示し、処理を履歴グループ化処理に戻す。第１印は、ＬＣＤ１５に表示されている電話番号、ここでは処理対象に設定されている履歴情報に含まれる第１電話番号がグループに登録されていることを示す印であり、ここではレ点としている。第１電話番号の近傍に第１印が表示されるので、ＬＣＤ１５に表示されている第１電話番号がグループに登録されていることをユーザに通知することができる。
【００７６】
ステップＳ２７においては、処理対象に設定された履歴情報に対応する第２グループフラグがＯＮに設定されているか否かを判断する。第２グループフラグがＯＮに設定されていれば処理をステップＳ２８に進めるが、そうでなければ処理を履歴グループ化処理に戻す。ステップＳ２８においては、第２印をＬＣＤ１５に表示されている第１電話番号の近傍に表示し、処理を履歴グループ化処理に戻す。第２印は、ＬＣＤ１５に表示されている電話番号、ここでは処理対象に設定されている履歴情報に含まれる第１電話番号とは別の第２電話番号がグループに登録されていることを示す印である。第２印は、ここでは斜線のハッチングを含む印としている。第１電話番号の近傍に第２印が表示されるので、ＬＣＤ１５に表示されている第１電話番号がグループに登録されておらず、第２電話番号がグループに登録されていることをユーザに通知することができる。
【００７７】
ステップＳ２７において、処理対象に設定された履歴情報に対応する第２グループフラグがＯＮに設定されていないと判断する場合、第１グループフラグと第２グループフラグとがともにＯＦＦに設定されている場合である。この場合は、第１電話番号の近傍に何も表示されない。したがって、第１電話番号と第２電話番号とのいずれもがグループに登録されていないことをユーザに通知することができる。
【００７８】
一方、処理がステップＳ２９に進む場合、第２表示フラグがＯＮに設定されている場合である。この場合、フラッシュメモリ３１に記憶されている電話帳８５を検索し（ステップＳ２９）、第２電話番号を取得する。具体的には、ステップＳ２１と同様に、処理対象に設定されている履歴情報に含まれる第１電話番号を含む電話帳レコードを抽出し、抽出された電話帳レコードに含まれる第２電話番号を取得する。そして、取得された第２電話番号をＬＣＤ１５に表示し（ステップＳ３０）、処理をステップＳ３１に進める。
【００７９】
ステップＳ３１においては、処理対象に設定された履歴情報に対応する第２グループフラグがＯＮに設定されているか否かを判断する。第２グループフラグがＯＮに設定されていれば処理をステップＳ３２に進めるが、そうでなければ処理をステップＳ３３に進める。ステップＳ３２においては、第１印をＬＣＤ１５に表示されている第２電話番号の近傍に表示し、処理を履歴グループ化処理に戻す。第１印は、ＬＣＤ１５に表示されている電話番号、ここでは第２電話番号がグループに登録されていることを示す印であり、ここではレ点としている。第２電話番号の近傍に第１印が表示されるので、ＬＣＤ１５に表示されている第２電話番号がグループに登録されていることをユーザに通知することができる。
【００８０】
ステップＳ３３においては、処理対象に設定された履歴情報に対応する第１グループフラグがＯＮに設定されているか否かを判断する。第１グループフラグがＯＮに設定されていれば処理をステップＳ３４に進めるが、そうでなければ処理を履歴グループ化処理に戻す。ステップＳ３４においては、第２印をＬＣＤ１５に表示されている第２電話番号の近傍に表示し、処理を履歴グループ化処理に戻す。第２印は、ＬＣＤ１５に表示されている電話番号、ここでは第２電話番号とは別の第１電話番号がグループに登録されていることを示す印である。第２印は、ここでは斜線のハッチングを含む印としている。第２電話番号の近傍に第２印が表示されるので、ＬＣＤ１５に表示されている第２電話番号がグループに登録されておらず、第１電話番号がグループに登録されていることをユーザに通知することができる。
【００８１】
ステップＳ３３において、処理対象に設定された履歴情報に対応する第１グループフラグがＯＮに設定されていないと判断する場合、第１グループフラグと第２グループフラグとがともにＯＦＦに設定されている場合である。この場合は、第２電話番号の近傍に何も表示されない。したがって、第１電話番号と第２電話番号とのいずれもがグループに登録されていないことをユーザに通知することができる。
【００８２】
図８は、電話番号変更処理の流れの一例を示すフローチャートである。電話番号変更処理は、図６のステップＳ１３において実行される処理である。電話番号変更処理が実行される場合、１つの履歴情報が処理対象に設定されている。電話番号変更処理は、ＬＣＤ１５に表示する電話番号を、第１電話番号から第２電話番号、または第２電話番号から第１電話番号に表示を切り換える処理である。図８を参照して、ＣＰＵ２１は、第１表示フラグがＯＮＯに設定されているか否かを判断する（ステップＳ４１）。第１表示フラグがＯＮに設定されているならば処理をステップＳ４２に進める、そうでなければ処理をステップＳ５０に進める。ステップＳ４２においては、フラッシュメモリ３１に記憶されている、電話帳８５を検索し、処理対象に設定されている履歴情報に含まれる第１電話番号を含む電話帳レコードを抽出する。そして、次のステップＳ４３においては、抽出された電話帳レコードが第２電話番号を含むか否かを判断する。第２電話番号は、抽出された電話帳レコードに含まれる少なくとも１つの電話番号のうち、履歴情報に含まれる第１電話番号とは異なる別の電話番号である。抽出された電話帳レコードが第２電話番号を含むならば、処理をステップＳ４４に進めるが、電話帳レコードが抽出されない場合、または抽出された電話帳レコードが第２電話番号含まない場合、処理を履歴グループ化処理に戻す。
【００８３】
ステップＳ４４においては、抽出された電話帳レコードに含まれる第２電話番号を、それまで表示されていた第１電話番号に代えてＬＣＤ１５に表示する。次のステップＳ４５においては、第２表示フラグをＯＮに設定し、第１表示フラグをＯＦＦに設定する。
【００８４】
そして、次のステップＳ４６においては、処理対象に設定された履歴情報に対応する第２グループフラグがＯＮに設定されているか否かを判断する。第２グループフラグがＯＮに設定されていれば処理をステップＳ４７に進めるが、そうでなければ処理をステップＳ４８に進める。ステップＳ４７においては、第１印をＬＣＤ１５に表示されている第２電話番号の近傍に表示し、処理を履歴グループ化処理に戻す。第２電話番号の近傍に第１印が表示されるので、ＬＣＤ１５に表示されている第２電話番号がグループに登録されていることをユーザに通知することができる。
【００８５】
ステップＳ４８においては、処理対象に設定された履歴情報に対応する第１グループフラグがＯＮに設定されているか否かを判断する。第１グループフラグがＯＮに設定されていれば処理をステップＳ４９に進めるが、そうでなければ処理を履歴グループ化処理に戻す。ステップＳ４９においては、第２印をＬＣＤ１５に表示されている第２電話番号の近傍に表示し、処理を履歴グループ化処理に戻す。第２電話番号の近傍に第２印が表示されるので、ＬＣＤ１５に表示されている第２電話番号がグループに登録されておらず、第１電話番号がグループに登録されていることをユーザに通知することができる。
【００８６】
ステップＳ４８において、処理対象に設定された履歴情報に対応する第１グループフラグがＯＮに設定されていないと判断する場合、第１グループフラグと第２グループフラグとがともにＯＦＦに設定されている場合である。この場合は、第２電話番号の近傍に何も表示されない。したがって、第１電話番号と第２電話番号とのいずれもがグループに登録されていないことをユーザに通知することができる。
【００８７】
一方、処理がステップＳ５０に進む場合、第２表示フラグがＯＮに設定されている場合である。この場合、処理対象に設定されている。履歴情報に含まれる第１電話番号を、それまで表示されていた第２電話番号に代えてＬＣＤ１５に表示する。次のステップＳ５１においては、第１表示フラグをＯＮに設定し、第２表示フラグをＯＦＦに設定する。
【００８８】
次のステップＳ５２においては、処理対象に設定された履歴情報に対応する第１グループフラグがＯＮに設定されているか否かを判断する。第１グループフラグがＯＮに設定されていれば処理をステップＳ５３に進めるが、そうでなければ処理をステップＳ５４に進める。ステップＳ５３においては、第１印をＬＣＤ１５に表示されている第１電話番号の近傍に表示し、処理を履歴グループ化処理に戻す。第１電話番号の近傍に第１印が表示されるので、ＬＣＤ１５に表示されている第１電話番号がグループに登録されていることをユーザに通知することができる。
【００８９】
ステップＳ５４においては、処理対象に設定された履歴情報に対応する第２グループフラグがＯＮに設定されているか否かを判断する。第２グループフラグがＯＮに設定されていれば処理をステップＳ５５に進めるが、そうでなければ処理を履歴グループ化処理に戻す。ステップＳ５５においては、第２印をＬＣＤ１５に表示されている第１電話番号の近傍に表示し、処理を履歴グループ化処理に戻す。第１電話番号の近傍に第２印が表示されるので、ＬＣＤ１５に表示されている第１電話番号がグループに登録されておらず、第２電話番号がグループに登録されていることをユーザに通知することができる。
【００９０】
ステップＳ５４において、処理対象に設定された履歴情報に対応する第２グループフラグがＯＮに設定されていないと判断する場合、第１グループフラグと第２グループフラグとがともにＯＦＦに設定されている場合である。この場合は、第１電話番号の近傍に何も表示されない。したがって、第１電話番号と第２電話番号とのいずれもがグループに登録されていないことをユーザに通知することができる。
【００９１】
図９は、グループ化処理の流れの一例を示すフローチャートである。グループ化処理は、図６のステップＳ１５において実行される処理である。グループ化処理が実行される場合、１つの履歴情報が処理対象に設定されている状態で、グループ化指示を受け付けた場合である。グループ化処理は、第１電話番号から第２電話番号のうちＬＣＤ１５に表示されているものをグループに登録する処理である。
【００９２】
図９を参照して、ＣＰＵ２１は、第１表示フラグがＯＮに設定されているか否かを判断する。第１表示フラグがＯＮに設定されているならば処理をステップＳ６２に進め、そうでなく、第２表示フラグがＯＮに設定されているならば処理をステップＳ６５に進める。
【００９３】
ステップＳ６２においては、処理対象に設定されている履歴情報に含まれる第１電話番号をグループに登録し、処理をステップＳ６３に進める。ステップＳ６３においては、第１グループフラグをＯＮに設定し、第２グループフラグをＯＦＦに設定し、処理をステップＳ６４に進める。次のステップＳ６４においては、第１印をＬＣＤ１５の第１電話番号が表示されている位置の近傍に表示し、処理を履歴グループ化処理に戻す。第１電話番号の近傍に第１印が表示されるので、ＬＣＤ１５に表示されている第１電話番号がグループに登録されていることをユーザに通知することができる。
【００９４】
一方、ステップＳ６５においては、処理対象に設定されている履歴情報に含まれる第１電話番号と、電話帳レコードによって関連付けられる第２電話番号をグループに登録し、処理をステップＳ６６に進める。ステップＳ６３においては、第２グループフラグをＯＮに設定し、第１グループフラグをＯＦＦに設定し、処理をステップＳ６７に進める。次のステップＳ６４においては、第１印をＬＣＤ１５の第２電話番号が表示されている位置の近傍に表示し、処理を履歴グループ化処理に戻す。第２電話番号の近傍に第１印が表示されるので、ＬＣＤ１５に表示されている第２電話番号がグループに登録されていることをユーザに通知することができる。
【００９５】
次に履歴表示画面の具体例を示す。ここでは、電話帳８５が、氏名の項目に「Ａｌａｎ  Ｗｅｂｂ」が設定されている電話帳レコードと、氏名の項目に「Ｂｏｂ  Ｓｍｉｔｈ」が設定されている電話帳レコードと、を含む場合を例に説明する。氏名の項目に「Ａｌａｎ  Ｗｅｂｂ」が設定されている電話帳レコードは、通信先１の項目に電話番号「１１１−１１１−１１１１」が設定されており、通信先２の項目に電話番号「２２２−２２２−２２２２」が設定されており、氏名の項目に「Ａｌａｎ  Ｗｅｂｂ」が設定されている電話帳レコードは、通信先１の項目に電話番号「３３３−３３３−３３３３」が設定されているものとする。また、電話番号「１１１−１１１−１１１１」を含む着信履歴情報８３と、電話番号「３３３−３３３−３３３３」を含む着信履歴情報が記憶されているものとする。この場合、電話番号「１１１−１１１−１１１１」と、電話番号「３３３−３３３−３３３３」とは第１電話番号である。
【００９６】
図１０は、履歴表示画面の一例を示す第１の図である。図１０を参照して、履歴表示画面２００は、２つの履歴情報を一覧表示するための領域２０１，２０３を含む。領域２０１は、着信相手の氏名「Ａｌａｎ  Ｗｅｂｂ」が表示され、通信識別情報としての電話番号「１１１−１１１−１１１１」が表示され、電話番号の右に切換指示を入力するための右矢印キーを示す矢印２０５が表示される。領域２０３は、着信相手の氏名「Ｂｏｂ  Ｓｍｉｔｈ」が表示される。領域２０１に表示されている履歴情報が選択され、領域２０１が反転表示されている場合を例に示している。図において反転表示を領域２０１を太線の枠で囲むことにより表している。なお、履歴情報が選択されている表示形態は、反転表示に限定されず、例えば、文字の色またはフォントを異ならせるようにしてもよいし、背景の色または模様を異ならせるようにしてもよいし、輝度を異ならせるようにしてもよい。
【００９７】
さらに、領域２０１，２０３それぞれの左端にチェックボックス２０２，２０４が表示される。チェックボックス２０２，２０４は、ユーザがグループ化指示を入力するための領域であり、かつ、グループに登録された後には、グループに登録されているか否かを示す第１印または第２印が表示される領域である。履歴情報が表示される最初の段階においては、領域２００，２０３は、何も表示されない空欄である。
【００９８】
図１１は、履歴表示画面の一例を示す第２の図である。図１１に示す履歴表示画面２００は、図１０に示した履歴表示画面２００において、操作キー１４が有する切換指示を入力するための右矢印キーが、押下された場合に表示される。図１０に示した履歴表示画面２００おいて領域２０１に表示されていた第１電話番号「１１１−１１１−１１１１」が、第２電話番号「２２２−２２２−２２２２」に変更される。これにより、ユーザに第１電話番号とは別の第２電話番号が電話帳に登録されていることを知らせることができる。
【００９９】
さらに、領域２０１に表示されている履歴情報が選択され、領域２０１が反転表示される。これにより、ユーザに、領域２０１に表示されている履歴情報が処理対象に選択されていることを知らせることができる。また、領域２０１においてチェックボックス２０２は、何も表示されず空欄である。これにより、ユーザに領域２０１に表示されている履歴情報の第１電話番号および第２電話番号のいずれもがグループに登録されていないことを知らせることができる。
【０１００】
また、領域２０３においてチェックボックス２０４は、何も表示されず空欄である。これにより、ユーザに領域２０３に表示されている履歴情報の第１電話番号がグループに登録されていないことを知らせることができる。
【０１０１】
図１２は、履歴表示画面の一例を示す第３の図である。図１２に示す履歴表示画面２００は、図１１に示した履歴表示画面２００において、操作キー１４が有するグループ登録指示を入力するためのキーが押下された場合に表示される画面である。図１１において領域２０１に表示されていた第２電話番号「２２２−２２２−２２２２」の横のチェックボックス２０２に、レ点の第１印が表示される。これにより、ユーザに表示されている第２電話番号「２２２−２２２−２２２２」がグループに登録されたことを知らせることができる。なお、図１２に示す履歴表示画面２００が表示されている段階で、操作キー１４が有するグループ登録指示を入力するためのキーが押下されると、図１１に示した履歴表示画面２００が表示される。
【０１０２】
図１３は、履歴表示画面の一例を示す第４の図である。図１３に示す履歴表示画面２００は、図１２に示した履歴表示画面２００において、操作キー１４が有する切換指示を入力するための右矢印キーが押下された場合に表示される。図１２に示した履歴表示画面２００おいて選択された領域２０１に表示されていた第２電話番号「２２２−２２２−２２２２」が、第１電話番号「１１１−１１１−１１１１」に変更され、第１電話番号「１１１−１１１−１１１１」の横のチェックボックス２０２に、第２印としての斜線のハッチングが表示される。これにより、ユーザに表示されている第１電話番号とは別の第２電話番号がグループに登録されていることを知らせることができる。
【０１０３】
なお、図１３に示す履歴表示画面２００が表示されている段階で、操作キー１４が有する切換指示を入力するための右矢印キーが押下されると、図１２に示した履歴表示画面２００が表示される。
【０１０４】
図１４は、履歴表示画面の一例を示す第５の図である。図１４に示す履歴表示画面２００は、図１１に示した履歴表示画面２００において、操作キー１４が有する選択指示を入力するための下矢印キーが、押下された場合に表示される。図１１に示した履歴表示画面２００おいて領域２０１に表示されていた着信相手の氏名「Ｂｏｂ  Ｓｍｉｔｈ」の下に、第１電話番号「３３３−３３３−３３３３」が表示される。さらに、領域２０３に表示されている履歴情報が選択され、領域２０３が反転表示される。これにより、ユーザに、領域２０３に表示されている履歴情報が処理対象に選択されていることを知らせることができる。
【０１０５】
また、領域２０３において第１電話番号「３３３−３３３−３３３３」の横のチェックボックス２０４は、何も表示されず空欄である。これにより、ユーザに領域２０３に表示されている第１電話番号および第２電話番号のいずれもがグループに登録されていないことを知らせることができる。さらに、領域２０１においてチェックボックス２０２は、何も表示されず空欄である。これにより、ユーザに領域２０１に表示されている履歴情報の第１電話番号および第２電話番号のいずれもがグループに登録されていないことを知らせることができる。
【０１０６】
なお、図１４に示す履歴表示画面２００が表示されている段階で、操作キー１４が有する選択指示を入力するための上矢印キーが押下されると、図１１に示した履歴表示画面２００が表示される。
【０１０７】
図１５は、履歴表示画面の一例を示す第６の図である。図１５に示す履歴表示画面２００は、図１４に示した履歴表示画面２００において、操作キー１４が有するグループ登録指示を入力するためのキーが押下された場合に表示される画面である。図１４において選択された領域２０１に表示されていた第１電話番号「３３３−３３３−３３３３」の横のチェックボックス２０２に、第１印としてのレ点が表示される。これにより、ユーザに第１電話番号「３３３−３３３−３３３３」がグループに登録されたことを知らせることができる。
【０１０８】
なお、図１５に示す履歴表示画面２００が表示されている段階で、操作キー１４が有するグループ登録指示を入力するためのキーが押下されると、図１４に示した履歴表示画面２００が表示される。
【０１０９】
図１６は、履歴表示画面の一例を示す第７の図である。図１６に示す履歴表示画面２００は、図１５に示した履歴表示画面２００において、操作キー１４が有する選択指示を入力するための上矢印キーが押下された場合に表示される。図１５に示した履歴表示画面２００おいて領域２０１に表示されていた着信相手の氏名「Ａｌａｎ  Ｗｅｂｂ」の下に、第２電話番号「２２２−２２２−２２２２」が表示される。図１１の履歴表示画面２００において示したように、第２電話番号「２２２−２２２−２２２２」が表示対象に選択されているからである。
【０１１０】
さらに、領域２０１に表示されている履歴情報が選択され、領域２０１が反転表示される。これにより、ユーザに、領域２０１に表示されている履歴情報が処理対象に選択されていることを知らせることができる。さらに、領域２０１においてチェックボックス２０２は、何も表示されず空欄である。これにより、ユーザに領域２０１に表示されている履歴情報の第１電話番号およびそれに対応する第２電話番号のいずれもがグループに登録されていないことを知らせることができる。
【０１１１】
また、領域２０３においてチェックボックス２０４は、レ点の第１印が表示される。これにより、領域２０３に表示されている氏名のユーザの第１電話番号または第２電話番号のいずれかがグループに登録されていることを知らせることができる。
【０１１２】
なお、図１６に示す履歴表示画面２００が表示されている段階で、操作キー１４が有する選択指示を入力するための下矢印キーが押下されると、図１５に示した履歴表示画面２００が表示される。
【０１１３】
図１７は、履歴表示画面の一例を示す第８の図である。図１７に示す履歴表示画面２００は、図１２に示した履歴表示画面２００において、操作キー１４が有する選択指示を入力するための下矢印キーが押下された場合に表示される。図１２に示した履歴表示画面２００おいて領域２０３に表示されていた着信相手の氏名「Ｂｏｂ  Ｓｍｉｔｈ」の下に、第１電話番号「３３３−３３３−３３３３」が表示される。さらに、領域２０３に表示されている履歴情報が選択され、領域２０３が反転表示される。これにより、ユーザに、領域２０３に表示されている履歴情報が処理対象に選択されていることを知らせることができる。また、領域２０３においてチェックボックス２０２は、何も表示されず空欄である。これにより、ユーザに領域２０１に表示されている履歴情報の第１電話番号がグループに登録されていないことを知らせることができる。
【０１１４】
また、領域２０１においてチェックボックス２０４は、レ点の第１印が表示される。これにより、ユーザに領域２０１に表示されている履歴情報の第１電話番号または第２電話番号のいずれかがグループに登録されていることを知らせることができる。
【０１１５】
なお、図１７に示す履歴表示画面２００が表示されている段階で、操作キー１４が有する選択指示を入力するための上矢印キーが押下されると、図１２に示した履歴表示画面２００が表示される。
【０１１６】
図１８は、履歴表示画面の一例を示す第９の図である。図１８に示す履歴表示画面２００は、図１７に示した履歴表示画面２００において、操作キー１４が有するグループ登録指示を入力するためのキーが押下される場合に表示される画面である。図１７において選択された領域２０３に表示されていた第１電話番号「３３３−３３３−３３３３」の横のチェックボックス２０２に、第１印としてのレ点が表示される。これにより、ユーザに第１電話番号「３３３−３３３−３３３３」がグループに登録されたことを知らせることができる。また、領域２０１においてチェックボックス２０２は、レ点の第１印が表示されたままなので、ユーザに領域２０１に表示されている履歴情報の第１電話番号または第２電話番号のいずれかがグループに登録されていることを知らせることができる。
【０１１７】
なお、図１８に示す履歴表示画面２００が表示されている段階で、操作キー１４が有するグループ登録指示を入力するためのキーが押下されると、図１７に示した履歴表示画面２００が表示される。
【０１１８】
図１９は、履歴表示画面の一例を示す第１０の図である。図１９に示す履歴表示画面２００は、図１８に示した履歴表示画面２００において、操作キー１４が有する選択指示を入力するための上矢印キーが押下される場合に表示される。図１８に示した履歴表示画面２００おいて領域２０１に表示されていた着信相手の氏名「Ａｌａｎ  Ｗｅｂｂ」の下に、第２電話番号「２２２−２２２−２２２２」が表示される。図１２の履歴表示画面２００において示したように、第２電話番号「２２２−２２２−２２２２」が表示対象に選択されるからである。さらに、領域２０１に表示されている履歴情報が選択され、領域２０１が反転表示される。これにより、ユーザに、領域２０１に表示されている履歴情報が処理対象に選択されていることを知らせることができる。
【０１１９】
また、領域２０１においてチェックボックス２０４は、レ点の第１印が表示されたままなので、ユーザに領域２０１に表示されている第２電話番号「２２２−２２２−２２２２」がグループに登録されていることを知らせることができる。
【０１２０】
また、領域２０３においてチェックボックス２０４は、レ点の第１印が表示されたままなので、ユーザに領域２０３に表示されている氏名のユーザの第１電話番号がグループに登録されていることを知らせることができる。
【０１２１】
なお、図１９に示す履歴表示画面２００が表示されている段階で、操作キー１４が有する選択指示を入力するための下矢印キーが押下されると、図１８に示した履歴表示画面２００が表示される。
【０１２２】
図２０は、履歴表示画面の一例を示す第１１の図である。図２０に示す履歴表示画面２００は、図１３に示した履歴表示画面２００において、操作キー１４が有する選択指示を入力するための下矢印キーが押下される場合に表示される。図１３に示した履歴表示画面２００が表示されている段階において、第１領域に表示されている履歴情報の第２電話番号がグループに登録され、第２領域に表示されている履歴情報に含まれる第１電話番号および第２電話番号のいずれもグループに登録されていない。
【０１２３】
図２０を参照して、図１３において領域２０３に表示されていた着信相手の氏名「Ａｌａｎ  Ｓｍｉｔｈ」の下に、第１電話番号「３３３−３３３−３３３３」が表示される。さらに、領域２０３に表示されている履歴情報が選択され、領域２０３が反転表示される。これにより、ユーザに、領域２０３に表示されている履歴情報が処理対象に選択されていることを知らせることができる。
【０１２４】
また、領域２０１においてチェックボックス２０４は、レ点の第１印が表示される。これにより、ユーザに領域２０１に表示されている履歴情報に含まれる第１電話番号および第２電話番号のいずれかがグループに登録されていることを知らせることができる。
【０１２５】
また、領域２０３においてチェックボックス２０４は、何も表示されず空欄のままなので、ユーザに領域２０３に表示されている履歴情報の第１電話番号がグループに登録されていないことを知らせることができる。
【０１２６】
なお、図２０に示す履歴表示画面２００が表示されている段階で、操作キー１４が有する選択指示を入力するための上矢印キーが押下されると、図１３に示した履歴表示画面２００が表示される。
【０１２７】
図２１は、履歴表示画面の一例を示す第１２の図である。図２１に示す履歴表示画面２００は、図２０に示した履歴表示画面２００において、操作キー１４が有するグループ登録指示を入力するためのキーが押下される場合に表示される画面である。図２０に示す履歴表示画面２００において領域２０３に表示されていた第１電話番号「３３３−３３３−３３３３」の横のチェックボックス２０４に、第１印としてのレ点が表示される。これにより、ユーザに第１電話番号「３３３−３３３−３３３３」がグループに登録されたことを知らせることができる。
【０１２８】
また、領域２０１においてチェックボックス２０２は、レ点の第１印が表示されたままなので、ユーザに領域２０１に表示されている履歴情報の第１電話番号および第２電話番号のいずれかがグループに登録されていることを知らせることができる。
【０１２９】
なお、図２１に示す履歴表示画面２００が表示されている段階で、操作キー１４が有するグループ登録指示を入力するためのキーが押下されると、図２０に示した履歴表示画面２００が表示される。
【０１３０】
図２２は、履歴表示画面の一例を示す第１３の図である。図２２に示す履歴表示画面２００は、図２１に示した履歴表示画面２００において、操作キー１４が有する選択指示を入力するための上矢印キーが押下される場合に表示される。図２１に示した履歴表示画面２００おいて領域２０１に表示されていた着信相手の氏名「Ａｌａｎ  Ｗｅｂｂ」の下に、第１電話番号「１１１−１１１−１１１１」が表示される。図１３の履歴表示画面２００において示したように、第２電話番号「１１１−１１１−１１１１」が表示対象に選択されているからである。
【０１３１】
さらに、領域２０１に表示されている履歴情報が選択され、領域２０１が反転表示される。これにより、ユーザに、領域２０１に表示されている履歴情報が処理対象に選択されていることを知らせることができる。
【０１３２】
また、領域２０１においてチェックボックス２０２は、ハッチングの第２印が表示される。図１２の履歴表示画面２００において示したように、第２電話番号「２２２−２２２−２２２２」がグループに登録されているからである。これにより、ユーザに領域２０１に表示されている第１電話番号「１１１−１１１−１１１１」とは別の第２電話番号がグループに登録されていることを知らせることができる。
【０１３３】
また、領域２０３においてチェックボックス２０４は、レ点の第１印が表示されたままなので、ユーザに領域２０３に表示されている履歴情報の第１電話番号がグループに登録されていることを知らせることができる。
【０１３４】
なお、図２２に示す履歴表示画面２００が表示されている段階で、操作キー１４が有する選択指示を入力するための下矢印キーが押下されると、図２１に示した履歴表示画面２００が表示される。
【０１３５】
以上説明したように本実施の形態における携帯電話機１は、電話番号を含む発信履歴情報８２または着信履歴情報８３が表示され、発信履歴情報８２または着信履歴情報８３に含まれる第１の電話番号（通信識別情報）を含む電話帳レコード（個人情報）が第２の電話番号を含む場合、電話番号を変更する操作の入力に応じて、第１の電話番号と第２の電話番号とのいずれかに表示が切り換えられ、表示されているものがグループに登録される。このため、発信履歴情報８２または着信履歴情報８３として記憶された第１の電話番号とは異なる第２の電話番号をグループに登録することができる。また、第１の電話番号を含む発信履歴情報８２または着信履歴情報８３が表示され、処理対象として選択された発信履歴情報８２または着信履歴情報８３に含まれる第１の電話番号を含む電話帳レコードが第２の電話番号を含む場合、表示を切り換えるための操作の入力に応じて、第１の電話番号と第２の電話番号とのいずれかに表示が切り換えられる一方、処理対象が変更される場合は、新たに処理対象となる発信履歴情報８２または着信履歴情報８３に含まれる第１の電話番号と、それと電話帳レコードによって関連付けられた第２の電話番号のうち前回処理対象として選択されていたときに表示されてものが表示される。このため、第１の電話番号と第２の電話番号のうち前回表示されていたものが表示されるので、先にした操作を繰返す必要がない。
【０１３６】
また、第１の電話番号または第２の電話番号のいずれか一方がグループに登録されている場合レ点またはハッチングが表示されるので、第１の電話番号または第２の電話番号のいずれか一方がグループに登録されていることを通知することができる。
グループに登録されている電話番号をユーザに通知することができる。
【０１３７】
また、第１の電話番号と第２の電話番号とのうち表示されているものがグループに登録されている場合にレ点が表示され、第１の電話番号と第２の電話番号とのうち表示されているものがグループに登録されていない場合にハッチングが表示されるので、第１の電話番号と第２の電話番号とのうちいずれがグループに登録されているか、または、いずれもグループに登録されていないかをユーザに通知することができる。
【０１３８】
なお、上述した実施の形態においては、通信装置の一例として携帯電話機１を例に説明したが、図６に示した処理を実行するための通信履歴表示方法または通信履歴表示方法を携帯電話機１を制御するＣＰＵ２１に実行させるための通信履歴表示プログラムとして発明を捉えることができるのは、言うまでもない。
【０１３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４０】
【図１】本発明の実施の形態の１つにおける携帯電話機の外観を示す斜視図である。
【図２】本実施の形態における携帯電話機のハードウェア構成の一例を示すブロック図である。
【図３】本発明の実施の形態の１つにおける携帯電話機のＣＰＵの機能の概要をフラッシュメモリに記憶する情報とともに示す機能ブロック図である。
【図４】電話帳レコードのフォーマットの一例を示す図である。
【図５】グループ情報のフォーマットの一例を示す図である。
【図６】履歴グループ化処理の流れの一例を示すフローチャートである。
【図７】履歴表示処理の流れの一例を示すフローチャートである。
【図８】電話番号変更処理の流れの一例を示すフローチャートである。
【図９】グループ化処理の流れの一例を示すフローチャートである。
【図１０】履歴表示画面の一例を示す第１の図である。
【図１１】履歴表示画面の一例を示す第２の図である。
【図１２】履歴表示画面の一例を示す第３の図である。
【図１３】履歴表示画面の一例を示す第４の図である。
【図１４】履歴表示画面の一例を示す第５の図である。
【図１５】履歴表示画面の一例を示す第６の図である。
【図１６】履歴表示画面の一例を示す第７の図である。
【図１７】履歴表示画面の一例を示す第８の図である。
【図１８】履歴表示画面の一例を示す第９の図である。
【図１９】履歴表示画面の一例を示す第１０の図である。
【図２０】履歴表示画面の一例を示す第１１の図である。
【図２１】履歴表示画面の一例を示す第１２の図である。
【図２２】履歴表示画面の一例を示す第１３の図である。
【符号の説明】
【０１４１】
１  携帯電話機、１１  スピーカ、１３  マイクロフォン、１４  操作キー、１５  ＬＣＤ、２１  ＣＰＵ、２２  無線回路、２２Ａ  アンテナ、２３  コーデック部、２４  カメラ、２５  操作部、２６  振動部、２７  カードＩ／Ｆ、２７Ａ  メモリカード、２８  音声制御部、３１  フラッシュメモリ、３２  ＲＯＭ、５１  通信制御部、５３  履歴記憶部、５５  履歴表示部、５７  再表示部、６１  グループ化部、６３  履歴表示部、６５  表示切換部、８１  履歴情報、８２  発信履歴情報、８３  着信履歴情報、８５  電話帳、８７  グループ情報、２００  着信履歴表示画面。
【図１】
2010148076.tif 000003
【図２】
2010148076.tif 000004
【図３】
2010148076.tif 000005
【図４】
2010148076.tif 000006
【図５】
2010148076.tif 000007
【図６】
2010148076.tif 000008
【図７】
2010148076.tif 000009
【図８】
2010148076.tif 000010
【図９】
2010148076.tif 000011
【図１０】
2010148076.tif 000012
【図１１】
2010148076.tif 000013
【図１２】
2010148076.tif 000014
【図１３】
2010148076.tif 000015
【図１４】
2010148076.tif 000016
【図１５】
2010148076.tif 000017
【図１６】
2010148076.tif 000018
【図１７】
2010148076.tif 000019
【図１８】
2010148076.tif 000020
【図１９】
2010148076.tif 000021
【図２０】
2010148076.tif 000022
【図２１】
2010148076.tif 000023
【図２２】
2010148076.tif 000024